(57)【特許請求の範囲】
【請求項１】
記録及び再生用磁気ヘッドと、再生時に前記磁気ヘッドを介して磁気記録媒体から読み出される信号波形を補正するフィルタ回路と、記録時に前記磁気ヘッドへ書き込み電流を供給する書き込み回路と、前記フィルタ回路のフィルタ時定数を設定するための再生モード用定電流発生回路と、前記書き込み電流値を設定する記録モード用定電流発生回路とを備え、少なくとも前記再生モード用定電流発生回路の一部と前記記録モード用定電流発生回路の一部であって発生させる定電流を指定する部分を共有し、前記再生モード用定電流発生回路によって発生した定電流を前記フィルタ回路に供給する再生モードか前記記録モード用定電流発生回路によって発生した定電流を前記書き込み回路に供給する記録モードかを選択するための切り替えスイッチを備えた磁気記録再生装置。
【請求項２】
前記再生モード用定電流発生回路及び前記記録モード用定電流発生回路はカレントミラー回路を含み、前記カレントミラー回路は複数の入力側トランジスタを備え、前記複数の入力側トランジスタが前記再生モード用定電流発生回路と前記記録モード用定電流発生回路とで共有され、単一の集積回路によって構成されてなることを特徴とする請求項１記載の磁気記録再生装置。
【発明の詳細な説明】
【０００１】
【発明の属する技術分野】
本発明は、磁気ディスク等の磁気記録媒体を用いて信号の記録、再生を行う磁気記録再生装置に関し、殊に信号読み出し（再生）／書き込み制御技術に関する。
【０００２】
【従来の技術】
従来の磁気記録再生装置の信号読み出し／書き込みの制御回路の概要を図２に示す。磁気ディスク（図示せず）等の磁気記録媒体からの信号再生時には、磁気ヘッド５０によって検出された信号はプリアンプ５１により信号増幅され、さらにフィルタ回路５２によってノイズ除去され再生信号処理回路（図示せず）に入力される。一方、該磁気記録媒体への信号書き込み時には、書き込みデータを書き込み回路５３を通じて磁気ヘッド５０に供給する。
【０００３】
ところで、一般に市販されている磁気ディスクでは高密度用と普通密度用とがあり、またその記録密度も内周と外周とで高低差があるという特性を考慮して記録再生を行う必要がある。このため、書き込み回路５３には上記特性に応じて書き込み電流を切り換えるための書き込み電流切り換え回路５４が設けられている。また、フィルタ回路５２にも上記特性に応じてカットオフ周波数を切り換えるためのフィルタ時定数切り換え回路５５が設けられている。書き込み電流切り換え回路５４及びフィルタ時定数切り換え回路５５は定電流回路（図示せず）で構成されている。
【０００４】
【発明が解決しようとする課題】
しかしながら、上記従来の磁気記録再生装置においては、書き込み電流切り換え回路５４及びフィルタ時定数切り換え回路５５を同様の定電流回路で構成されているため、回路構成が複雑になっており、類似の定電流回路を重複して用いるというコストパフォーマンス上も好ましくない課題を呈していた。また、上記の記録再生回路を半導体集積回路（ＩＣ）５６によって製造する場合、書き込み電流切り換え回路５４及びフィルタ時定数切り換え回路５５のそれぞれにおける切り換え電流の基準値を設定するために用いる抵抗（図示せず）をＩＣ内部に内蔵させると、抵抗のバラツキの影響が大きいため、外付け抵抗として各々の切り換え回路５４、５５に対して設ける必要があり、部品点数の削減の妨げになっていた。
【０００５】
本発明にかかる課題は、上記従来の問題点に鑑み、記録再生回路の構成が簡易で、かつ安価になる磁気記録再生装置を提供を提供することである。
【０００６】
【課題を解決するための手段】
本出願人はかかる課題に関し、書き込み電流切り換え回路及びフィルタ回路に用いる定電流回路を共有化できる点に着目し、記録再生回路の簡素化を図るに至ったのである。そこで、上記課題を解決するために、請求項１にかかる発明は、記録及び再生用磁気ヘッドと、再生時に前記磁気ヘッドを介して磁気記録媒体から読み出される信号波形を補正するフィルタ回路と、記録時に前記磁気ヘッドへ書き込み電流を供給する書き込み回路と、前記フィルタ回路のフィルタ時定数を設定するための再生モード用定電流発生回路と、前記書き込み電流値を設定する記録モード用定電流発生回路とを備え、少なくとも前記再生モード用定電流発生回路の一部と前記記録モード用定電流発生回路の一部であって発生させる定電流を指定する部分を共有し、前記再生モード用定電流発生回路によって発生した定電流を前記フィルタ回路に供給する再生モードか前記記録モード用定電流発生回路によって発生した定電流を前記書き込み回路に供給する記録モードかを選択するための切り替えスイッチを備えたことを特徴とする磁気記録再生装置である。
【０００７】
請求項２にかかる発明は、前記再生モード用定電流発生回路及び前記記録モード用定電流発生回路はカレントミラー回路を含み、前記カレントミラー回路は複数の入力側トランジスタを備え、前記複数の入力側トランジスタが前記再生モード用定電流発生回路と前記記録モード用定電流発生回路とで共有され、単一の集積回路によって構成されてなることを特徴とする請求項１記載の磁気記録再生装置である。
【０００８】
【発明の効果】
請求項１または２の発明によれば、磁気記録再生装置における書き込み及び再生系に対して定電流発生回路を共有化し、磁気記録媒体の仕様に応じて適宜切り換えて使用するので、記録再生回路の集積回路規模を大幅に縮小でき、かつ安価に構成できる。しかも、該磁気記録再生装置用集積回路をＩＣ化した場合、発生電流の調整用の抵抗を１個設けるだけで済み、装置全体の部品点数削減を実現できる。
【０００９】
【発明の実施の形態】
以下、本発明を実施した例を図面によって説明する。
図１は本発明の一実施例である磁気記録再生装置を図１に示す。
本実施例の磁気記録再生装置は磁気ヘッド１、処理部１１及びその処理部１１によって信号読み取り（再生）／書き込みを制御する制御部５を含む。処理部１１はマイクロコンピュータで構成され、読み取りデータ及び書き込みデータの処理を行う。制御部５は、磁気ディスク（図示せず）の信号再生時に読み出し信号の波形補正に用いるフィルタ回路４及び、該磁気ディスクへの信号書き込みに用いる書き込み回路３からなる集積回路で構成され、処理部１１からの制御信号に応じて動作制御される。
【００１０】
信号再生時には、磁気ヘッド１によって検出された信号はプリアンプ２により信号増幅され、さらにフィルタ回路４によってノイズ除去されて再生出力として再生信号処理回路（図示せず）に入力される。一方、該磁気ディスクへの信号書き込み時には、処理部１１からの書き込みデータを書き込み回路３を通じて磁気ヘッド１に供給する。
【００１１】
次に、磁気ディスクの高密度あるいは普通密度の仕様に、またその記録密度の内外周差に応じた特性に対して、書き込み回路３による書き込み電流を切り換えるための書き込み電流切り換え回路が設けられている。この書き込み電流切り換え回路は、スイッチ群８と、内外周密度に応じてスイッチ群８によって指定された内容に対応した定電流を発生させる定電流発生回路とで構成されている。該定電流発生回路は、複数の入力側トランジスタ群９と出力側トランジスタＱ６とからなる。出力側トランジスタＱ６と書き込み回路３との間には、トランジスタ対Ｑ３とＱ４からなるカレントミラー回路が設けられている。トランジスタＱ３のベース・コレクタ間は共通接続され、そのコレクタ側に出力側トランジスタＱ６のコレクタ側に流れる出力電流が供給され、さらにその出力電流は該カレントミラー回路により反転されトランジスタＱ４を介して書き込み電流Ｉ１として書き込み回路３に供給される。
【００１２】
また、フィルタ回路４にも上記の特性に応じてカットオフ周波数を切り換えるためのフィルタ時定数切り換え回路が設けられている。このフィルタ時定数切り換え回路は、スイッチ群８と、選択されるフィルタ時定数に応じてスイッチ群８によって指定された内容に対応した定電流を発生させる定電流発生回路とで構成されている。該定電流発生回路は、複数の入力側トランジスタ群９と出力側トランジスタＱ５とからなる。出力側トランジスタＱ５とフィルタ回路４との間には、トランジスタ対Ｑ１とＱ２からなるカレントミラー回路が設けられている。トランジスタＱ１のベース・コレクタ間は共通接続され、そのコレクタ側に出力側トランジスタＱ５のコレクタ側に流れる出力電流が供給され、さらにその出力電流は該カレントミラー回路により反転されトランジスタＱ２を介してフィルタ時定数切り換え電流Ｉ２としてフィルタ回路４に供給される。
【００１３】
なお、スイッチ群８による供給定電流の切り換えには、磁気ディスクの両面仕様に対応してディスク表裏に応じた電流供給を行う機能を追加してもよい。上記書き込み電流切り換え回路及びフィルタ時定数切り換え回路の切り換えは、それぞれのトランジスタ対Ｑ３、Ｑ４またはＱ１、Ｑ２からなるカレントミラー回路の動作切り換えを行うための切り換えスイッチ１０によって行われる。切り換えスイッチ１０の接点がＡの時、トランジスタ対Ｑ１とＱ２の共通ベースを接地側に接続して書き込みモードになる。接点がＢの時、トランジスタ対Ｑ３とＱ４の共通ベースを接地側に接続して再生モードになる。
【００１４】
上記複数の入力側トランジスタ群９の一方の共通入力側ラインにはトランジスタＱ１１を介して定電流源６が接続されている。この定電流源６は、トランジスタＱ７とＱ８からなる差動対、トランジスタＱ９とＱ１０からなるカレントミラー回路で構成されている。トランジスタＱ７のベースには定電圧源ＶＲＥＦが与えられており、定電流源６による定電流出力をトランジスタＱ１１を介してトランジスタ群９の一方の共通入力側ラインに供給する。トランジスタＱ８のベースはトランジスタＱ１１のエミッタ側に接続され、さらに電流調整用抵抗Ｒが制御部５の集積回路に対して外付けされる。
【００１５】
スイッチコントロール回路７は、処理部１１からの選択信号に応じてスイッチ群８及び切り換えスイッチ１０のそれぞれの接点を適宜切り換える。
上記の構成に示すように、磁気記録再生装置における書き込み及び再生系に用いる定電流回路は、共通の入力側トランジスタ群９で発生される出力電流を切り換えスイッチ１０によって書き込み回路３またはフィルタ回路４に切り換えて供給するように構成されている。従って、制御部５の集積回路規模を大幅に縮小でき、かつ安価に構成できる。しかも、電流調整用の抵抗Ｒも共通の入力側トランジスタ群９側に１個設けるだけで済み、装置の部品点数削減にも寄与する。
【図面の簡単な説明】
【図１】図１は本発明の実施例である磁気記録再生装置の構成を示すブロック図である。
【図２】図２は従来の磁気記録再生装置の概略構成を示すブロック回路図である。
【符号の説明】
１    磁気ヘッド
２    プリアンプ
３    書き込み回路
４    フィルタ回路
５    制御部
６    定電流源
７    スイッチコントロール回路
８    スイッチ群
９    共通の入力側トランジスタ群
１０    切り換えスイッチ
Ｒ    （電流調整用）抵抗
【図１】
0003592413.tif 000002
【図２】
0003592413.tif 000003